(57)【特許請求の範囲】
【請求項１】
平面状に広がりを有する一対の側面及び板厚分の幅を有して上記側面をその四方から囲む端面を有する端子板本体（１０）と、この端子板本体（１０）に設けた導電体にコンデンサ（２０）を電気的に接続して成るコンデンサを備えた端子板において、上記端子板本体（１０）の端面に隣接してコンデンサ（２０）を配置し、コンデンサ側面（２４）と対面する端子板本体（１０）の端面をコンデンサ（２０）が配置される側とは反対側へと凹入させることにより上記凹入端面（１３）とコンデンサ側面（２４）との間にモータシャフトを配置できる半円状の透孔部（２）を形成したことを特徴とするコンデンサを備えた端子板。
【請求項２】
上記コンデンサ（２０）は、上記導電体に接続された端子板本体（１０）の端子（１１）と着脱可能に接続されていることを特徴とする請求項１のコンデンサを備えた端子板。
【発明の詳細な説明】
【０００１】
【発明の属する技術分野】
この発明はコンデンサを備えた端子板に関するもので、特にモータ用として好適なコンデンサを備えた端子板に関するものである。
【０００２】
【従来の技術】
従来より、電気機器を小型化するために、電気機器を構成する各部品を小型にしたり、各部品の実装効率を高める工夫がなされている。例えば、交流モータを有する家電機器では、ロータとステータとを収納するケース内に、さらにモータを駆動するのに必要なコンデンサ等の他の電気部品を共に収納してコンパクト化を図っている。この場合、モータを構成するコイルとコンデンサ等の電気部品との接続を行うに際し、端子板を介した接続構造を採用し、これにより組立作業の簡略化が図られている。
【０００３】
【発明が解決しようとする課題】
ところで上記従来の接続構造においては、スペース上の制約から、内蔵できるコンデンサの容量が制限され、またロータ等の部品交換も困難である。
【０００４】
この発明は上記従来の欠点を解決するためになされたものであって、その目的は、容量の大きいコンデンサを接続することが可能であり、またロータ等の部品交換を容易に行うことも可能なコンデンサを備えた端子板を提供することにある。
【０００５】
【課題を解決するための手段】
そこで請求項１のコンデンサを備えた端子板は、平面状に広がりを有する一対の側面及び板厚分の幅を有して上記側面をその四方から囲む端面を有する端子板本体１０と、この端子板本体１０に設けた導電体にコンデンサ２０を電気的に接続して成るコンデンサを備えた端子板において、上記端子板本体１０の端面に隣接してコンデンサ２０を配置し、コンデンサ側面２４と対面する端子板本体１０の端面をコンデンサ２０が配置される側とは反対側へと凹入させることにより上記凹入端面１３とコンデンサ側面２４との間にモータシャフトを配置できる半円状の透孔部２を形成したことを特徴としている。
【０００６】
上記請求項１のコンデンサを備えた端子板においては、透孔部２内にモータシャフトを貫挿したような状態での使用が可能である。そしてこのような場合において、端子板１についていえば、端子板本体１０にコンデンサ２０を収納するための収納スペースを設ける必要がないので、小型の端子板本体１０を使用しながらも大容量のコンデンサ２０を接続して使用可能となる。すなわち、コンデンサ２０の設置スペースが端子板本体１０の寸法によって制限されず、そのためコンデンサ２０の容量の選択自由度が大きくなり、大容量のコンデンサ２０を使用可能となる。
【０００７】
また請求項２のコンデンサを備えた端子板は、上記コンデンサ２０は、上記導電体に接続された端子板本体１０の端子１１と着脱可能に接続されていることを特徴としている。
【０００８】
上記請求項２のコンデンサを備えた端子板によれば、端子板本体１０の端子１１、１１とコンデンサ２０とを着脱自在にしているので、例えばモータ組立時においては、ロータを挿入した後で、コンデンサ２０を端子板本体１０に接続することが可能となる。すなわち、コンデンサ２０を後付けできる関係上、従来よりも大きな容量のコンデンサが使用可能となり、この結果、使用可能なコンデンサ容量の制限が大幅に緩和される。また、コンデンサ２０を端子板本体１０から取り外すことが可能であるので、点検時の作業や故障修理時のロータ交換等の作業が大幅に行い易くなる。
【０００９】
【発明の実施の形態】
次にこの発明のコンデンサを備えた端子板の具体的な実施の形態について、図面を参照しつつ詳細に説明する。
【００１０】
まず図１には、コンデンサを備えた端子板１の全体の外観を示しているが、このコンデンサを備えた端子板１は、端子板本体１０と、この端子板本体１０の側部に隣接して配置されたコンデンサ２０とより成るものである。端子板本体１０は、電気部品の配線パターンとしての導電性プレートやリード線等の導電体（図示せず）を備えるもので、コンデンサ２０に近接した位置に、コンデンサ２０の接続される一対の端子１１、１１が設けられている。この端子１１、１１は上記導電性プレート等の導電体に接続されている。また、端子板本体１０には、上記導電体に接続された一対の結線部１２、１２が形成されている。上記導電体は配線部品として機能するものであるが、端子板本体１０には、それ以外の電気部品が接続されていることもある。
【００１１】
上記コンデンサ２０は、樹脂ケース２１内にコンデンサ素子を収納して樹脂２２を充填したものである。そして樹脂ケース２１の開口部の両側から一対の電極端子２３、２３が導出されている。この一対の電極端子２３、２３は、上記端子板本体１０の端子１１、１１に接続されるが、これらは図２に示すように、リセプタクル構造のもので、互いに着脱自在となっている。
【００１２】
そして上記端子板本体１０において、コンデンサ２０の側面と相対向する端面１３は、図１及び図３に示しているように、コンデンサ２０とは反対側へと半円状の切欠き状に凹入しており、この凹入端面１３と上記コンデンサ２０の側面２４との間に、平面視半円状の透孔部２が形成されている。
【００１３】
上記において、端子板本体１０に側部に隣接してコンデンサ２０が配置されていると記載したが、ここにおいて「側部に隣接」するとは、次のことを意味する。すなわち、端子板本体１０は、平面状に広がりを有する一対の側面と、板厚分の幅を有して上記側面をその四方から囲む端面を有するが、この何れかの端面とコンデンサ２０の側面が相対向している状態のことである。なお、上記端子板本体１０の端面とコンデンサの側面とは互いに離間していてもよいし、接していてもよい。また、上記端面とコンデンサの側面とは、平行に配置するのが好ましいが、これに限られる訳ではなく、要するに端子板本体１０の端面とコンデンサとの間に透孔部２を形成し得る態様で配置すればよい。
【００１４】
上記コンデンサを備えた端子板１においては、上記透孔部２内にモータシャフトを貫挿し、上記結線部１２、１２にモータコイルに設けられた導電ピンを接続した状態で使用する。そうすれば、元来はデッドスペースとなっていたモータシャフト外周部のスペースを有効活用でき、これによりモータケース内の省スペース、モータの小型化を図ることができる。また、端子板１についていえば、端子板本体１０にコンデンサ２０を収納するための収納スペースを設ける必要がないので、小型の端子板本体１０を使用しながらも大容量のコンデンサ２０を接続して使用可能となる。すなわち、コンデンサ２０の設置スペースが端子板本体１０の寸法によって制限されず、そのためコンデンサ２０の容量の選択自由度が大きくなり、大容量のコンデンサ２０を使用可能となる。
【００１５】
また、端子板本体１０の端子１１、１１とコンデンサ２０の電極端子２３、２３とを着脱自在にしているので、例えばモータ組立時においては、ロータを挿入した後で、コンデンサ２０を端子板本体１０に接続することが可能となる。端子板本体１０に予めコンデンサ２０を接続しておく場合には、使用可能なコンデンサ容量が制限されるが、上記のようにコンデンサ２０を後付けできる関係上、従来よりも大きな容量のコンデンサが使用可能となり、この結果、使用可能なコンデンサ容量の制限が大幅に緩和されることになる。また、コンデンサ２０を端子板本体１０から取り外すことが可能であるので、点検時の作業や故障修理時のロータ交換等の作業が大幅に行い易くなる。
【００１６】
以上にこの発明の実施形態の説明をしたが、この発明のコンデンサを備えた端子板は上記実施形態に限られるものではなく、種々変更して実施することが可能である。例えば、上記では樹脂ケース２１内に樹脂封止されたコンデンサ２０を使用しているが、これは他の構造のコンデンサにおいても上記同様に実施可能である。また、端子板本体１０の端子１１、１１とコンデンサ２０の電極端子２３、２３を着脱可能に接続する構造は、リセプタクル接続構造以外のものでもよいし、さらに請求項１の発明においては両者が着脱自在でない接続構造も包含している。
【００１７】
【発明の効果】
上記請求項１のコンデンサを備えた端子板においては、コンデンサの設置スペースが端子板本体の寸法によって制限されず、そのためコンデンサの容量の選択自由度が大きくなり、大容量のコンデンサを使用可能となる。
【００１８】
また請求項２のコンデンサを備えた端子板によれば、コンデンサを後付けできる関係上、従来よりも大きな容量のコンデンサが使用可能となり、この結果、使用可能なコンデンサ容量の制限が大幅に緩和される。また、コンデンサを端子板本体から取り外すことが可能であるので、点検時の作業や故障修理時のロータ交換等の作業が大幅に行い易くなる。
【図面の簡単な説明】
【図１】この発明のコンデンサを備えた端子板の実施形態の外観の斜視図である。
【図２】上記実施形態における端子板本体の端子とコンデンサとの接続構造を示す斜視図である。
【図３】上記実施形態の平面図である。
【図４】上記実施形態の正面図である。
【符号の説明】
１  端子板
２  透孔部
１０  端子板本体
１１  端子
１３  凹入端面
２０  コンデンサ
２４  コンデンサの側面
【図１】
0004505931.tif 000002
【図２】
0004505931.tif 000003
【図３】
0004505931.tif 000004
【図４】
0004505931.tif 000005